(57)【要約】      （修正有）【課題】足場板の間に隙間が生じ、その隙間により安全性が損なわれるおそれがある、という問題を解決する足場用板を提供する。【解決手段】足場用板は、足場板２３と、足場板を支持する支柱２１に設置されたはね出し足場板３２と、その上に載置される板状部材を有し、板状部材には、支柱が挿通する挿通部が形成されている。【選択図】図１
0003210155.tif 000002
【実用新案登録請求の範囲】
【請求項１】
支柱に連結される梁間に配置される足場用板であって、
前記足場用板は、前記支柱を挟んで前記梁間に連結配置される足場板間に配置され、
前記足場用板のうち、当該足場用板を前記梁間に配置した際に当該梁側となる箇所には、前記支柱が挿通する挿通部が形成されている
足場用板。
【請求項２】
請求項１に記載の足場用板であって、
前記足場用板は、略長方形の形状を有しており、当該足場用板のうちの短辺側の両端部それぞれに前記挿通部が形成されている
足場用板。
【請求項３】
請求項２に記載の足場用板であって、
前記足場用板のうちの短辺側の端部には、当該端部に対向して隣接する他の足場用板と重ねあわせられる重ね合わせ部が形成されている
足場用板。
【請求項４】
請求項３に記載の足場用板であって、
前記足場用板のうちの短辺側の端部のうちの一方には、前記重ね合わせ部として、当該端部のうち上方側所定範囲を切除した切除部が形成されており、前記足場用板のうちの短辺側の端部のうちの他方には、前記重ね合わせ部として、当該端部のうち下方側所定範囲を切除した切除部が形成されている
足場用板。
【請求項５】
請求項１乃至４のいずれかに記載の足場用板であって、
前記足場用板のうちの前記挿通部に近接する所定箇所には、当該足場用板の厚さ方向に貫通する貫通孔が形成されている
足場用板。
【請求項６】
請求項１乃至５のいずれかに記載の足場用板であって、
前記足場用板は、所定の厚みを有するポリエチレン製の板である
足場用板。
【請求項７】
請求項１乃至６のいずれかに記載の足場用板であって、
前記支柱を挟んで足場用の足場板とはね出し足場用の足場板とが配置されており、
前記足場用板は、前記足場用の足場板と前記はね出し足場用の足場板との間に配置される
足場用板。
【請求項８】
請求項７に記載の足場用板であって、
前記足場用板は、前記足場用の足場板と前記はね出し足場用の足場板との上に載置されることで、前記足場用の足場板と前記はね出し足場用の足場板との間に形成される隙間上に配置される
足場用板。
【考案の詳細な説明】
【技術分野】
【０００１】
本考案は、足場用板に関し、特に仮設足場などの足場にはね出し足場を設置した際などに用いる足場用板に関する。
【背景技術】
【０００２】
仮設足場などの足場にはね出し足場を設置することがあることが知られている。
【０００３】
例えば、特許文献１には、仮設足場のはね出し架台装置が記載されている。具体的には、特許文献１によると、仮設足場のはね出し架台装置は、複数の梁材と、複数の梁材に対応して複数設けられ、それぞれの一端が複数の梁材の一端にそれぞれ枢着される斜材と、梁材及び斜材の他端にそれぞれ設けられ、梁材及び斜材をそれぞれ足場構造材に連結するクランプ機構と、複数の梁材間に架け渡される架設板と、を備えている。また、クランプ機構は、足場構造材に揺動を許容する態様に連結可能な仮止め金具と、足場構造材に揺動を規制する態様に連結可能な緊結金具とを有している。特許文献１によると、上記構成により、仮設足場に簡単かつ安全に組み付けることができて、工期の短縮及びコストの削減を図ることが出来る仮設足場用のはね出し架台装置を提供することが出来る。
【０００４】
また、関連する技術として、例えば、特許文献２がある。特許文献２には、足場に取り付けるための取付部材と、先端部材と、取付部材と先端部材との間に位置する中間部材とを備え、中間部材の後端を取付部材に該中間部材が水平方向に回転自在となるように連結し、先端部材の後端を中間部材の先端に該先端部材が水平方向に回転自在となるように連結し、先端部材及び中間部材を所定の回転角度で保持させる保持手段を設けたことを特徴とするはね出し足場用ブラケットが記載されている。特許文献２によると、上記構成により、現場内に持ち込む仮設材の数を減少できて現場内環境を向上させるブラケットを提供することが出来る。
【先行技術文献】
【特許文献】
【０００５】
【特許文献１】特開平９−１５８４６６号公報
【特許文献２】特開２００２−２５６６９５号公報
【考案の概要】
【考案が解決しようとする課題】
【０００６】
特許文献１、特許文献２に記載されているように、仮設足場などの足場にはね出し足場を設置することがある。この際、仮設足場などの足場とはね出し足場との間には、隙間が生じることがある。
【０００７】
このように仮設足場などの足場とはね出し足場との間に隙間が生じると、足場上で作業する作業員が足を滑らせて落下する、隙間から作業道具などの物が落下するおそれがある、など、安全上の問題が生じることになる。換言すると、仮設足場などの足場を構成する足場板とはね出し足場を構成するはね出し足場用の足場板との間など、足場板の間に隙間が生じることがあり、当該隙間により安全性が損なわれるおそれがある、という問題が生じていた。
【０００８】
そこで、本考案の目的は、足場板の間に隙間が生じることがあり、当該隙間により安全性が損なわれるおそれがある、という問題を解決することが出来る足場用板を提供することにある。
【課題を解決するための手段】
【０００９】
本考案の一形態である足場用板は、
足場板と、前記足場板を支持する支柱に設置されたはね出し足場板と、の上に載置される板状部材を有し、
前記板状部材には、前記支柱が挿通する挿通部が形成されている
という構成を採る。
【考案の効果】
【００１０】
本考案は、以上のように構成されることにより、足場板の間に隙間が生じることがあり、当該隙間により安全性が損なわれるおそれがある、という問題を解決することができる足場用板を提供することが出来る。
【図面の簡単な説明】
【００１１】
【図１】本発明の第１の実施形態に係る足場用板を説明するための図である。
【図２】足場板とはね出し足場板との間に形成される隙間を説明するための図である。
【図３】図１で示す足場用板の構成の一例を示す斜視図である。
【図４】図３で示す足場用板の構成の一例を示す平面図である。
【図５】図３で示す足場用板の構成の一例を示す正面図である。
【図６】足場用板の他の構成の一例を示す正面図である。
【図７】図６で示す足場用板を足場板とはね出し足場板の上に載置した際の様子の一例を示す図である。
【図８】足場用板の他の構成の一例を示す図である。
【考案を実施するための形態】
【００１２】
＜実施形態１＞
本考案の第１の実施形態を、図１乃至図８を参照して説明する。図１は、足場用板１を説明するための図である。図２は、足場板２３とはね出し足場板３２との間に形成される隙間４を説明するための図である。図３は、足場用板１の構成の一例を示す斜視図である。
図４は、足場用板１の構成の一例を示す平面図である。図５は、足場用板１の構成の一例を示す正面図である。図６は、足場用板１の他の構成の一例を示す正面図である。図７は、足場用板１を足場板２３とはね出し足場板３２の上に載置した際の様子の一例を示す図である。図８は、足場用板１の他の構成の一例を示す図である。
【００１３】
本考案の第１の実施形態では、図１で示すように、足場２とはね出し足場３との上に載置する足場用板１について説明する。図２で示すように、足場２とはね出し足場３との間には、隙間４が形成されている。本実施形態において説明する足場用板１を足場２とはね出し足場３との上に載置する（つまり、隙間４上に載置する）ことで、図１で示すように、平面視で隙間４を埋めることが出来る。その結果、当該隙間４から人や物が落下するおそれを低減させることが可能となる。つまり、安全性を損ねることなく、足場２にはね出し足場３を設置することが可能となる。
【００１４】
図１を参照すると、本実施形態における足場用板１は、足場２のうちの横材２２間に架け渡される足場板である足場板２３（足場用の足場板）と、はね出し足場３のうちの支持具３１間に架け渡される足場板であるはね出し足場板３２（はね出し足場用の足場板）と、の上に載置される。換言すると、本実施形態における足場用板１は、横材２２及び支持具３１の一部により形成される梁間に配置される、ということも出来る。
【００１５】
ここで、足場用板１を載置する足場２とはね出し足場３について簡単に説明する。図１を参照すると、足場２は、下端にジャッキ部２１１が形成され、鉛直方向に延びる金属製の支柱２１を４本有している。４本の支柱２１のそれぞれは、例えば、平面視で長方形となる形状の各頂点に相当する位置に設置されている。
【００１６】
４本の支柱２１のうち平面視で短辺側となる２本の支柱２１は、所定の高さで金属製の横材２２（梁の一部）により連結されている。換言すると、平面視で短辺側となる一対の支柱２１間には、当該一対の支柱２１間を連結する横材２２が設けられている。また、上記のように、４本の支柱２１は平面視で長方形となる形状の各頂点に相当する位置に設置されている。そのため、短辺は２つあることになり、足場２は、一対の支柱２１間を横材２２で連結した構造を一対有していることになる。
【００１７】
なお、横材２２は、例えば、足場２を設置する地面と平行となるように２本の支柱２１の間に設けられている。ただし、足場２を屋根などの傾斜する構造の上に設置する際などにおいては、横材２２は、足場２を設置する傾斜する構造と平行とならなくても構わない。また、一方の短辺側に形成される横材２２の高さと他方の短辺側に形成される横材２２の高さとは、例えば同一となるよう調整されている（同一でなくても構わない）。
【００１８】
また、２つの横材２２の間には、足場板２３（足場用の足場板）が架け渡されている（連結配置されている）。足場板２３は、例えば、略長方形状の金属製の板材であり、平面視で長辺側となる２本の支柱２１の間の長さと同程度となる長辺方向の長さを有している。このように、支柱２１間を連結する横材２２間には、足場板２３が架け渡されている。なお、図１で示す場合では、３つの足場板２３が架け渡されているが、横材２２の間に架け渡される足場板２３の数は、３つの場合に限定されない。横材２２の間には、例えば、１つや２つの足場板２３が架け渡されていても構わないし、４つ以上の足場板２３が架け渡されていても構わない。
【００１９】
また、４本の支柱２１のうち平面視で長辺側となる２本の支柱２１の間であって、足場板２３よりも下方側には、一対の金属製斜め材による筋交い２４が形成されている。さらに、支柱２１のうち平面視で短辺側となる２本の支柱の間であって、横材２２よりも下方側には、金属製の補強部材２５が形成されている。このように、４本の支柱２１は、筋交い２４や補強部材２５により補強されている。
【００２０】
例えば、上記のように、足場２が形成されている。
【００２１】
そして、足場２のうち平面視で長辺側となるうちの一方には、はね出し足場３が設置されている。例えば、図１で示すように、２本の支柱２１それぞれに金属製ブラケットなどの支持具３１が設けられている。そして、一対の支持具３１の間には、はね出し足場板３２（はね出し足場用の足場板）が架け渡されている（連結配置されている）。
【００２２】
換言すると、支柱２１間を連結する梁である横材２２は、支持具３１により一方の支柱２１が他方の支柱２１と連結する方向と反対方向に延設されている、または、支柱２１には、横材２２により形成される梁と支持具３１により形成される梁とが連結されている、ということが出来る。
【００２３】
なお、はね出し足場板３２の高さは、例えば、足場板２３と同一となるよう調整されている。
【００２４】
このように、本実施形態における足場２とはね出し足場３とによると、支柱２１を挟んで足場板２３とはね出し足場板３２とが配置されることになる。また、図２で示すように、足場２にはね出し足場３を設置すると、足場板２３とはね出し足場板３２との間には隙間４が生じることになる。
【００２５】
足場用板１は、上記のような構成を有する足場２とはね出し足場３との上に載置することで、足場２とはね出し足場３との間に形成される隙間４上に配置する。足場用板１は、足場板２３とはね出し足場板３２との上に載置された状態で、当該足場板２３と当該はね出し足場板３２とにより支持されることになる。
【００２６】
図３で示すように、足場用板１は、略長方形の形状を有する板状部材１１から構成されている。板状部材１１は、例えば、長辺方向の長さが約１８２９ｍｍであり、短辺方向の長さが約３００ｍｍである。
【００２７】
図３、図４で示すように、板状部材１１のうち短辺側の端部のうちの真ん中部分には、板状部材１１のうちの厚み方向に、凹部状の挿通部１１１が形成されている。換言すると、板状部材１１のうち当該板状部材１１を足場板２３とはね出し足場板３２の上に載置した際に、梁である横材２２や支持具３１側となる箇所には、挿通部１１１が形成されている（図１など参照）。
【００２８】
挿通部１１１は、例えば、板状部材１１の短辺方向の長さが約１５０ｍｍであり、深さ（板状部材１１の長辺方向の長さが）が約２０ｍｍである。本実施形態においては、挿通部１１１の深さは、例えば、支柱２１の直径の半分程度の長さになるよう調整されている。なお、板状部材１１に後述する重ね合わせ部１１３、１１４などが形成されている場合には、挿通部１１１は、支柱２１の直径よりも長い深さを有していても構わない。挿通部１１１の大きさは、上記例示したもの以外であっても構わない。
【００２９】
図１で示すように、挿通部１１１には支柱２１のうちの少なくとも一部分が挿通する。挿通部１１１に支柱２１が挿通した状態では、板状部材１１を短辺方向や長辺方向に移動させようとすると、挿通部１１１に支柱２１が当接することになる。そのため、板状部材１１の短辺方向、長辺方向の動きが制限されることになる。換言すると、挿通部１１１は、板状部材１１を支柱２１に係止するとともに、板状部材１１のずれを防止する係止部、ずれ防止部としての機能も有している。
【００３０】
また、板状部材１１のうちの挿通部１１１の周辺（挿通部１１１に近接する所定箇所）には、当該板状部材１１の厚み方向に貫通する貫通孔１１２が例えば２箇所形成されている。例えば、貫通孔１１２は、板状部材１１の短辺側端部から３０ｍｍの位置であって、長辺側端部から７５ｍｍの位置に相当する箇所に形成されている。貫通孔１１２は、上記例示した以外の箇所に形成されていても構わない。貫通孔１１２には、例えば紐などの図示しない接続部材が挿通される。貫通孔１１２に挿通された紐などの接続部材は、隣接する他の板状部材１１と連結する際に用いられることになる。
【００３１】
また、図３、図５で示すように、板状部材１１は、例えば、所定の厚みを有している。板状部材１１の厚みは限定しないが、例えば、板状部材１１は、１５ｍｍ程度の厚みを有することが望ましい。
【００３２】
なお、本実施形態における板状部材１１は、例えば、ポリエチレン製である。本考案者は、ゴム製の板状部材１１なども試作したが、ゴム製の板状部材１１では安全性を確保するための必要な強度を有することが難しいことが確認された。例えば、略１５ｍｍの厚みを有するポリエチレン製の板状部材１１とすることで、安全性を確保するために必要な強度を有する足場用板１を実現することが出来る。
【００３３】
以上が、本実施形態で説明する足場用板１の構成の一例である。上記のような構成を有する足場用板１を用いることで、足場用板１を足場２とはね出し足場３の上に載置した際に、平面視で隙間４を埋めることが出来る。その結果、当該隙間４から人や物が落下するおそれを低減させることが可能となる。つまり、安全性を損ねることなく、足場２にはね出し足場３を設置することが可能となる。
【００３４】
なお、板状部材１１のうちの短辺側の端部には、隣接する他の板状部材１１と重ねあわせる際に用いる重ね合わせ部１１３、１１４を形成しても構わない。重ね合わせ部１１３は、板状部材１１のうちの短辺側の端部のうちの一方に設けられている。重ね合わせ部１１３は、例えば、上記端部のうち上方側所定範囲を切除すること（切除部を形成すること）で形成されている。また、重ね合わせ部１１４は、板状部材１１のうちの短辺側の端部のうちの他方に設けられている。重ね合わせ部１１４は、例えば、上記端部のうち下方側所定範囲を切除すること（切除部を形成すること）で形成されている。なお、重ね合わせ部１１３と重ね合わせ部１１４とは、互いに対応する形状となるよう形成されている。例えば、重ね合わせ部１１３と隣接する他の板状部材１１の重ね合わせ部１１４（又は、重ね合わせ部１１４と隣接する他の板状部材１１の重ね合わせ部１１３）とを重ね合わせた部分は、板状部材１１の他の部分の厚みと同程度となる。このように、板状部材１１のうちの短辺側の端部には、他の板状部材１１と重ね合わせることが可能な重ね合わせ部１１３、１１４を形成しても構わない。
【００３５】
図７は、図６で示す板状部材１１を、当該板状部材１１の端部と対向して隣接する他の板状部材１１と重ね合わせた際の一例を示している。図７を参照すると、板状部材１１に重ね合わせ部１１３、１１４を形成することで、隣接する他の板状部材１１と厚さ方向で干渉することなく重ね合わせることが可能となる。
【００３６】
なお、このように板状部材１１に重ね合わせ部１１３、１１４を形成する際には、重ね合わせた際に一方の板状部材１１に形成された貫通孔１１２と他方の板状部材１１に形成された貫通孔１１２とにより一体的な貫通孔が形成されるように、貫通孔１１２の形成位置を調整することが望ましい。これにより、２つの板状部材１１を重ね合わせた状態で容易に連結することが可能となる。また、板状部材１１に重ね合わせ部１１３、１１４を形成する際には、板状部材１１は、挿通部１１１の代わりに、支柱２１が挿通する厚み方向の支柱用貫通孔を有していても構わない。
【００３７】
また、板状部材１１のうちの短辺側の端部には、図８の重ね合わせ部１１５、１１６のように、対応する位置に凹部及び凸部を有する重ね合わせ部を形成しても構わない。このように、重ね合わせ部１１３、１１４（重ね合わせ部１１５、１１６）の形状は、特に限定しない。
【００３８】
また、足場用板１を設置する足場２やはね出し足場３の大きさは様々なものがある。そのため、大きさの異なる複数の足場用板１を用意して、実際に用いる足場２やはね出し足場３の大きさ位に応じて使い分けるよう構成しても構わない。
【００３９】
足場用板１の大きさとしては、例えば、上記例示したものの他に、長辺方向の長さが１５２４ｍｍであり短辺方向の長さが３００ｍｍのもの、長辺方向の長さが１２１９であり短辺方向の長さが３００ｍｍのもの、長辺方向の長さが９１４ｍｍであり短辺方向の長さが３００ｍｍのもの、長辺方向の長さが６１０ｍｍであり短辺方向の長さが３００ｍｍのもの、など様々なものが考えられる。足場用板１は、上記例示した以外の大きさであっても構わない。
【００４０】
また、本実施形態で例示した足場２とはね出し足場３の構成は、あくまで一例である。足場２やはね出し足場３は、本実施形態で例示した構成と異なる構成を有していても構わない。
【００４１】
以上、上記各実施形態を参照して本願考案を説明したが、本願考案は、上述した実施形態に限定されるものではない。本願考案の構成や詳細には、本願考案の範囲内で当業者が理解しうる様々な変更をすることが出来る。
【符号の説明】
【００４２】
１  足場用板
１１  板状部材
１１１  挿通部
１１２  貫通孔
１１３、１１４、１１５、１１６  重ね合わせ部
２  足場
２１  支柱
２１１  ジャッキ部
２２  横材
２３  足場板
２４  筋交い
２５  補強部材
３  はね出し足場
３１  支持具
３２  はね出し足場板
【図１】
0003210155.tif 000003
【図２】
0003210155.tif 000004
【図３】
0003210155.tif 000005
【図４】
0003210155.tif 000006
【図５】
0003210155.tif 000007
【図６】
0003210155.tif 000008
【図７】
0003210155.tif 000009
【図８】
0003210155.tif 000010